(57)【要約】【課題】センターキャップやサブコーンを設けて広帯域化を図ったスピーカ装置において、周波数特性の劣化を改善することができるスピーカ装置を得る。【解決手段】スピーカ装置３１は、磁気回路２０によって駆動されるボイスコイル１５から振動を伝達されて音響を再生する主振動板１Ａと、主振動板１Ａの中央部から音響の放射方向に延びて設けられて、主振動板１Ａを補う領域の音響を再生する副振動板３Ｂと、副振動板３Ｂの中央部の穴を塞ぐように設けられて、主振動板１Ａおよび副振動板３Ｂを補う領域の音響を再生するセンターキャップ２Ａとを有しており、ボイスコイル１５の中心に対して、副振動板３Ｂが偏心している。【選択図】        図３
2006303777.tif 000002
【特許請求の範囲】
【請求項１】
磁気回路によって駆動されるボイスコイルから振動を伝達されて音響を再生する主振動板と、
前記主振動板の中央部から音響の放射方向に延びて設けられて、前記主振動板を補う領域の音響を再生する副振動板と、
前記副振動板の中央部の穴を塞ぐように設けられて、前記主振動板および前記副振動板を補う領域の音響を再生するセンターキャップとを有するスピーカ装置であって、
前記ボイスコイルの中心に対して、前記副振動板および前記センターキャップの少なくともいずれか一方が偏心している
ことを特徴とするスピーカ装置。
【請求項２】
前記センターキャップが偏心している
ことを特徴とする請求項１に記載のスピーカ装置。
【請求項３】
前記副振動板が偏心している
ことを特徴とする請求項１に記載のスピーカ装置。
【請求項４】
前記副振動板と前記センターキャップとが偏心している
ことを特徴とする請求項１に記載のスピーカ装置。
【請求項５】
前記副振動板と前記センターキャップとが同じ方向に指向性が傾くように偏心している
ことを特徴とする請求項４に記載のスピーカ装置。
【請求項６】
前記副振動板と前記センターキャップとが指向性が相互に逆方向に傾くように偏心している
ことを特徴とする請求項４に記載のスピーカ装置。
【請求項７】
前記副振動板と前記センターキャップとの偏心は、両者の偏心ベクトルを組み合わせたものが所望の方向および大きさとなるようにされている
ことを特徴とする請求項４に記載のスピーカ装置。
【請求項８】
前記副振動板と前記センターキャップとが一体に成形されている
ことを特徴とする請求項１から７のいずれか１項に記載のスピーカ装置。
【請求項９】
前記ボイスコイルの中心に対して、前記主振動板が偏心している
ことを特徴とする請求項１から８のいずれか１項に記載のスピーカ装置。
【請求項１０】
前記副振動板および前記センターキャップの少なくともいずれか一方と前記主振動板とが同じ方向に指向性が傾くように偏心している
ことを特徴とする請求項９に記載のスピーカ装置。
【請求項１１】
前記副振動板および前記センターキャップの少なくともいずれか一方と前記主振動板との偏心は、両者の偏心ベクトルを組み合わせたものが所望の方向および大きさとなるようにされている
ことを特徴とする請求項９に記載のスピーカ装置。
【請求項１２】
前記副振動板、前記センターキャップおよび前記主振動板の偏心は、三者の偏心ベクトルを組み合わせたものが所望の方向および大きさとなるようにされている
ことを特徴とする請求項９に記載のスピーカ装置。
【請求項１３】
磁気回路によって駆動されるボイスコイルから振動を伝達されて音響を再生する主振動板と、
前記主振動板の中央部から音響の放射方向に延びて設けられて、前記主振動板を補う領域の音響を再生するとともに、前記ボイスコイルの中心に対して偏心している副振動板とを有していることを特徴とするスピーカ装置。
【請求項１４】
磁気回路によって駆動されるボイスコイルから振動を伝達されて音響を再生する主振動板と、
前記主振動板の中央部の穴を塞ぐように設けられて、前記主振動板を補う領域の音響を再生するとともに、前記ボイスコイルの中心に対して偏心しているセンターキャップとを有していることを特徴とするスピーカ装置。
【請求項１５】
前記ボイスコイルの中心に対して、前記主振動板が偏心している
ことを特徴とする請求項１４に記載のスピーカ装置。
【請求項１６】
前記主振動板と前記センターキャップとが同じ方向に指向性が傾くように偏心している
ことを特徴とする請求項１５に記載のスピーカ装置。
【請求項１７】
前記主振動板と前記センターキャップとが指向性が相互に逆方向に傾くように偏心している
ことを特徴とする請求項１５に記載のスピーカ装置。
【請求項１８】
前記主振動板と前記センターキャップとの偏心は、両者の偏心ベクトルを組み合わせたものが所望の方向および大きさとなるようにされている
ことを特徴とする請求項１５に記載のスピーカ装置。
【請求項１９】
前記主振動板と前記センターキャップとが一体に成形されている
ことを特徴とする請求項１４から１８のいずれか１項に記載のスピーカ装置。
【請求項２０】
磁気回路によって駆動されるボイスコイルから振動を伝達されて音響を再生するとともに、前記ボイスコイルの中心に対して偏心しているドーム型主振動板と、
前記ドーム型主振動板の外周縁部から半径方向外方に延びて設けられて、前記ドーム型主振動板を補う領域の音響を再生する外周部副振動板とを有していることを特徴とするスピーカ装置。
【請求項２１】
前記ボイスコイルの中心に対して、前記外周部副振動板が偏心している
ことを特徴とする請求項２０に記載のスピーカ装置。
【請求項２２】
前記ドーム型主振動板と前記外周部副振動板とが同じ方向に指向性が傾くように偏心している
ことを特徴とする請求項２０に記載のスピーカ装置。
【請求項２３】
前記ドーム型主振動板と前記外周部副振動板との偏心は、両者の偏心ベクトルを組み合わせたものが所望の方向および大きさとなるようにされている
ことを特徴とする請求項２０に記載のスピーカ装置。
【請求項２４】
前記ドーム型主振動板と前記外周部副振動板とが一体に成形されている
ことを特徴とする請求項２０から２３のいずれか１項に記載のスピーカ装置。
【発明の詳細な説明】
【技術分野】
【０００１】
この発明は、主振動板の他に、センターキャップや副振動板といった複数の振動板を設けて再生される音響の広帯域化を図ったスピーカ装置に関し、特にいずれかの振動板を偏心させて周波数特性の改善を図ったスピーカ装置に関するものである。
【背景技術】
【０００２】
従来、主振動板（メインコーン）の他に、センターキャップや副振動板（サブコーン）といった複数の振動板を設けて広帯域化を図ったスピーカ装置が提案されている。なかでも、いわゆるフルレンジスピーカと呼ばれる全帯域形のスピーカ装置は優れた点が多い。この全帯域形のスピーカ装置は、同一の音源から全ての音響が放射されるので、周波数毎に分割された別々の位置にあるスピーカから、同一の音声或いは楽器音の基音と倍音が別々に出てくるという不自然さや、クロスオーバー周波数付近での特性や位相の乱れが原因となるステレオ再生時の音場定位の不安定さなどを完全に無くすことができる（例えば、特許文献１参照）。
【０００３】
図１はセンターキャップとサブコーンと設けることにより広帯域化を図った従来のスピーカ装置の内部構造を示す横断面図である。図１において、コーン型スピーカ装置５１は、主振動板であるメインコーン１Ａ、副振動板であるサブコーン３Ａ、センターキャップ２Ａ、ボイスコイルボビン１７およびボイスコイル１５からなる振動構造と、ヨーク１３、マグネット１１、トッププレート１２からなる磁気回路２０とを有している。
【０００４】
リング状のマグネット１１の前面側および背面側に、鉄などの磁性材料からなるプレート１２とヨーク１３とが取り付けられている。そして、ヨーク１３の前面中央部に、ヨーク１３と一体化されたセンターポール１４が配設されている。そして、センターポール１４の外周面とプレート１２の内周面との間に、磁気ギャップｇが形成されている。プレート１２の前面には、フレーム１６が取り付けられている。
【０００５】
さらに、プレート１２のマグネット１１と反対側には、概略ラッパ型のメインコーン１Ａが大径部を音響の放射方向（前方）に向けて配設されている。また、メインコーン１Ａの後方に円筒形のボイスコイルボビン１７がメインコーン１Ａと中心軸を一致させて配置されており、このボイスコイルボビン１７は、弾性を有するスパイダ１８によってフレーム１６から支持されて、軸方向に進退動可能とされている。メインコーン１Ａは円錐形の大径部の円周縁部をフレーム１６の外周縁部に固定されて、円錐形の小径部をサブコーン３Ａを介してボイスコイルボビン１７に接続されて支持されている。ボイスコイルボビン１７の外周面には、ボイスコイル１５が巻装されている。そして、このボイスコイルボビン１７は、ボイスコイル１５が磁気ギャップｇ内の所定位置に位置するように配設されている。
【０００６】
メインコーン１Ａの中央部から音響の放射方向に延び広がるように、概略ラッパ型のサブコーン３Ａが大径部を前方に向けて配設されている。サブコーン３Ａは、円錐形の小径部をメインコーン１Ａの小径部に接続されており、反対側の大径部はメインコーン１Ａの中間部まで延びている。サブコーン３Ａは、メインコーン１Ａとともに振動して、メインコーン１Ａが再生できない高帯域の音響を再生する。
【０００７】
サブコーン３Ａの中央部の穴を塞ぐように、小径ドーム形のセンターキャップ２Ａが設けられている。センターキャップ２Ａは、サブコーン３Ａの小径部の内側に外周縁部を全周にわたって貼着されて取り付けられている。センターキャップ２Ａは、サブコーン３Ａとともに振動して、メインコーン１Ａやサブコーン３Ａが再生できない更に高帯域の音響を再生する。センターキャップ２Ａは、スピーカ装置内部に対する防塵、およびメインコーン１Ａやサブコーン３Ａ中心部の剛性の向上にも寄与している。
【０００８】
このような構成のスピーカ装置は、メインコーン１Ａとサブコーン３Ａとセンターキャップ２Ａとが、それぞれ異なる領域の音響を再生することにより、再生される音響の広帯域化が図られ、全帯域形のスピーカ装置とされている。
【０００９】
広帯域化を図った他のスピーカ装置として、従来、セミドーム型のスピーカ装置が提案されている。図２はそのセミドーム型のスピーカ装置の横断面図である。図２において、セミドーム型スピーカ装置５２は、ドーム型のドーム型主振動板７Ａ、コーン型の外周部副振動板８Ａ、ボイスコイルボビン１７およびボイスコイル１５からなる振動構造と、ツボヨーク１３、マグネット１１、トッププレート１２からなる磁気回路２０とを有している。
【００１０】
ドーム型主振動板７Ａは、スピーカ側に開口を有する略半円球状（いわゆる、セミドーム形状）の振動板であり、外周部副振動板８Ａと一体的に成型されている。外周部副振動板８Ａの外周縁部は、筐体をなす樹脂プレート１９の一上端面とスピーカの周方向に沿って固定されている。また、外周部副振動板８Ａは、ボイスコイルボビン１７の側面外壁の上方近傍を挟持するようにして固定されている。
【００１１】
ボイスコイルボビン１７は、略円筒状の形状をなし、その外壁にボイスコイル１５が巻装されている。ボイスコイルボビン１７の外壁は、上面に開口を有する略円筒形状をなすツボヨーク１３の側面内壁と一定の間隔を介して対向している。一方、ボイスコイルボビン１７の側面内壁は、円板状のマグネット１１の側面外壁、及びマグネット１１より若干大なる直径の円板状のトッププレート１２の側面外壁と夫々一定の間隔を介して対向している。これにより、トッププレート１２の側面外壁と、ツボヨーク１３の側面内壁との間に空隙（磁気ギャップｇ）が形成されている。
【００１２】
以上のように構成されたセミドーム型スピーカ装置５２では、一様な磁界中にあるボイスコイル１５に音声電流が流れると電磁作用の原理により、ボイスコイルボビン１７がそのスピーカの軸方向に上下するように振動する。そして、かかる振動がドーム型主振動板７Ａおよび外周部副振動板８Ａへと伝達され、両振動板７Ａ、８Ａから音響が放射される（例えば、特許文献２参照）。
【００１３】
【特許文献１】特開２００１−３４６２８４号公報
【特許文献２】特開２００４−３４９８７１号公報
【発明の開示】
【発明が解決しようとする課題】
【００１４】
しかしながら、コーン型のスピーカ装置においてもセミドーム型のスピーカ装置においても、振動板の分割共振による周波数特性の劣化という課題を残している。つまり、上述のように、帯域の異なる複数の振動板を設けて広帯域化を図ったスピーカ装置においても、振動板の分割共振による周波数特性の劣化という未解決の課題は未だ解消されていない。そして、従来、この課題に対していろいろな工夫がなされてきたが、安価で有効なものは未だ提案されてない。
【００１５】
この発明は上述のような課題を解決するためになされたもので、センターキャップやサブコーンを設けて広帯域化を図ったスピーカ装置において、分割共振による特性の劣化を改善することができるスピーカ装置を得ることを目的とする。
【課題を解決するための手段】
【００１６】
上述した課題を解決し、目的を達成するために、この発明にかかる請求項１のスピーカ装置は、磁気回路によって駆動されるボイスコイルから振動を伝達されて音響を再生する主振動板と、主振動板の中央部から音響の放射方向に延びて設けられて、主振動板を補う領域の音響を再生する副振動板と、副振動板の中央部の穴を塞ぐように設けられて、主振動板および副振動板を補う領域の音響を再生するセンターキャップとを有するスピーカ装置であって、ボイスコイルの中心に対して、副振動板およびセンターキャップの少なくともいずれか一方が偏心していることを特徴とする。
【００１７】
この発明にかかる請求項１３のスピーカ装置は、磁気回路によって駆動されるボイスコイルから振動を伝達されて音響を再生する主振動板と、主振動板の中央部から音響の放射方向に延びて設けられて、主振動板を補う領域の音響を再生するとともに、ボイスコイルの中心に対して偏心している副振動板とを有していることを特徴とする。
【００１８】
この発明にかかる請求項１４のスピーカ装置は、磁気回路によって駆動されるボイスコイルから振動を伝達されて音響を再生する主振動板と、主振動板の中央部の穴を塞ぐように設けられて、主振動板を補う領域の音響を再生するとともに、ボイスコイルの中心に対して偏心しているセンターキャップとを有していることを特徴とする。
【００１９】
この発明にかかる請求項２０のスピーカ装置は、磁気回路によって駆動されるボイスコイルから振動を伝達されて音響を再生するとともに、ボイスコイルの中心に対して偏心しているドーム型主振動板と、ドーム型主振動板の外周縁部から半径方向外方に延びて設けられて、ドーム型主振動板を補う領域の音響を再生する外周部副振動板とを有していることを特徴とする。
【００２０】
ここで、ボイスコイルの中心に対して偏心している振動板とは、振動板の形状を、ボイスコイルに対して同軸ではない形状としたり、直円錐を軸と直交しない斜めの平面で切断した形状としたりした、いわゆる偏心振動板のことを指し、振動板の外周縁部が形成する円或いは楕円の中心に対して中心軸がずれている振動板を全て含む。
【発明を実施するための最良の形態】
【００２１】
以下に、本発明にかかるスピーカ装置の実施の形態を詳細に説明する。なお、この実施の形態によりこの発明が限定されるものではない。以下では、本発明のスピーカ装置の概略と特徴を実施の形態として説明し、その後にスピーカ装置に関する実施例を説明する。      
【００２２】
この発明は、主振動板に加えて、主振動板と異なる形状の振動板として、センターキャップやサブコーンを設けて再生される音響の広帯域化を図ったスピーカ装置において、高周波帯域における振動板の分割共振による特性劣化を改善する目的で、複数の振動板のうち少なくともいずれか１つを偏心させたものである。
【００２３】
［実施の形態１］
実施の形態１のスピーカ装置は、振動板として、主振動板と副振動板とセンターキャップとを有しており、夫々がすべて偏心しているスピーカ装置である。すなわち、実施の形態１のスピーカ装置は、磁気回路によって駆動されるボイスコイルから振動を伝達されて音響を再生する主振動板と、この主振動板の中央部から音響の放射方向に延びて設けられて、主振動板を補う領域の音響を再生する副振動板と、副振動板の中央部の穴を塞ぐように設けられて、主振動板および副振動板を補う領域の音響を再生するセンターキャップとを有している。そして、ボイスコイルの中心に対して、副振動板およびセンターキャップが偏心している。また、主振動板も偏心している。そのため、分割共振による特性の劣化を改善することができる。なお、主振動板が偏心していないスピーカ装置においても、と副振動板とセンターキャップのいずれか一方が偏心していれば、所定の効果は得ることができる。
【００２４】
また、本実施の形態１のスピーカ装置は、主振動板と副振動板とセンターキャップとが、同じ方向に指向性が傾くように偏心している。そのため、スピーカ装置の指向方向を大きく傾かせることができる。この結果、車両の客室内にスピーカ装置を設置する場合のように、例えば、スピーカ装置の取付面に対して傾いた方向に音響を放射したい場合に、取付面に対して鋭角な方向に音響を放射させることができる。逆に、偏心の方向を互いに指向性が逆方向に傾くようにすることにより、指向性の傾きを小さくすることができる。またさらに、偏心量を相互に調節することにより指向性の傾きを無くすこともできる。さらには、相互の偏心のベクトル（偏心の方向と大きさ）を調整することにより、指向方向を任意の方向に向かせることができる。すなわち、指向方向を自在に制御することができる。
【００２５】
さらにまた、本実施の形態１のスピーカ装置は、副振動板とセンターキャップとが一体に成形されている。そのため、再生される音響の音色が統一され、分割共振による特性の劣化の改善とあいまって臨場感を向上させることができる。
【００２６】
［実施の形態２］
実施の形態２のスピーカ装置は、主振動板と副振動板とを有しているスピーカ装置である。すなわち、実施の形態２のスピーカ装置は、磁気回路によって駆動されるボイスコイルから振動を伝達されて音響を再生する主振動板と、主振動板の中央部から音響の放射方向に延びて設けられて、主振動板を補う領域の音響を再生する副振動板とを有している。そして、ボイスコイルの中心に対して、副振動板が偏心している。そのため、分割共振による特性の劣化を改善することができる。なお、この構成に加えてさらに主振動板が偏心していれば、スピーカ装置の指向方向をさらに大きく傾かせることができる。
【００２７】
［実施の形態３］
実施の形態３のスピーカ装置は、磁気回路によって駆動されるボイスコイルから振動を伝達されて音響を再生する主振動板と、この主振動板の中央部の穴を塞ぐように設けられて主振動板を補う領域の音響を再生するセンターキャップとを有している。そして、ボイスコイルの中心に対して、センターキャップが偏心しており、また、主振動板も偏心している。そのため、分割共振による特性の劣化を改善することができる。なお、センターキャップと主振動板のいずれか一方のみ偏心している場合であっても所定の効果を得ることはできる。
【００２８】
また、本実施の形態３のスピーカ装置は、主振動板とセンターキャップとが同じ方向に指向性が傾くように偏心している。そのため、実施の形態１程ではないが、スピーカ装置の指向方向を大きく傾かせることができるので、車両の客室内に取付面に対して傾いた方向に音響を放射したいときに有効である。また、偏心の方向を互いに指向性が逆方向に傾くようにして指向性の傾きを小さく、さらには全く無くしたり、或いは、相互の偏心のベクトルを調整して指向方向を自在に制御したりすることは実施の形態１と同様である。
【００２９】
また、本実施の形態３のスピーカ装置は、主振動板とセンターキャップとが一体に成形されており、そのため、再生される音響の音色が統一され、分割共振による特性の劣化の改善とあいまって臨場感を向上させることができる。これは、実施の形態１にて、主振動板とセンターキャップとを一体に成形して得た効果と同様である。
【００３０】
［実施の形態４］
実施の形態４のスピーカ装置は、磁気回路によって駆動されるボイスコイルから振動を伝達されて音響を再生するドーム型主振動板と、ドーム型主振動板の外周縁部から半径方向外方に延びて設けられて、ドーム型主振動板を補う領域の音響を再生する副振動板とを有している。そして、ボイスコイルの中心に対して、主振動板が偏心していて、副振動板も偏心している。そのため、分割共振による特性の劣化を改善することができる。なお、副振動板と主振動板のいずれか一方のみ偏心している場合であっても所定の効果は得ることができる。偏心の方向を互いに指向性が逆方向に傾くようにして指向性の傾きを小さく、さらには全く無くしたり、或いは、相互の偏心のベクトルを調整して指向方向を自在に制御したりすることは実施の形態１および３と同様である。
以下、図面を参照して本発明の好適な実施例について説明する。
【００３１】
（実施例１）
図３は実施例１の偏心サブコーンを有するコーン型のスピーカ装置およびこのスピーカ装置に装備される一体成形された偏心サブコーンとセンターキャップの横断面図である。図３において、本実施例のコーン型スピーカ装置３１は、主振動板（以下、メインコーン）１Ａ、偏心している副振動板（以下、サブコーン）３Ｂ、センターキャップ２Ａ、ボイスコイルボビン１７およびボイスコイル１５から成る振動構造と、ヨーク１３、マグネット１１、トッププレート１２から成る磁気回路２０とを有している。
【００３２】
リング状のマグネット１１の前面側および背面側に、鉄などの磁性材料からなるトッププレート１２とヨーク１３とが取り付けられている。そして、ヨーク１３の前面中央部に、ヨーク１３と一体化されたセンターポール１４が配設されている。そして、センターポール１４の外周面とトッププレート１２の内周面との間に、磁気ギャップｇが形成されている。すなわち、マグネット１１、トッププレート１２、ヨーク１３およびセンターポール１４は、センターポール１４の外周面とトッププレート１２の内周面との間に磁気ギャップｇを形成する磁気回路２０を構成している。トッププレート１２の前面には、フレーム１６が取り付けられている。
【００３３】
さらに、トッププレート１２の前方であるマグネット１１と反対側には、概略ラッパ型のメインコーン１Ａが、大径部を前方に向けて配設されている。メインコーン１Ａの中央穴部から前方方向に延びるように、概略ラッパ型のサブコーン３Ｂが大径部を前方に向けて配設されている。メインコーン１Ａの中心軸は、磁気回路２０およびボイスコイル１５の中心軸Ｏと一致している。サブコーン３Ｂは、円錐形の小径部をメインコーン１Ａの小径部に接続されており、反対側の大径部はメインコーン１Ａの中間部まで延びている。サブコーン３Ｂは、メインコーン１Ａとともに振動して、メインコーン１Ａが再生できない高帯域の音響を再生する。サブコーン３Ｂの中心軸は、磁気回路２０およびボイスコイル１５の中心軸Ｏに対して距離Ｆだけ偏心している。
【００３４】
サブコーン３Ｂの中央部の穴を塞ぐように、小径ドーム形のセンターキャップ２Ａが設けられている。サブコーン３Ｂとセンターキャップ２Ａとは、紙または繊維のいずれかの同じ材料にて一体的に成型されて作製されている。センターキャップ２Ａの中心軸は、中心軸Ｏと一致している。センターキャップ２Ａは、サブコーン３Ｂと同様、メインコーン１Ａとともに振動して、メインコーン１Ａやサブコーン３Ｂが再生できないさらに高帯域の音響を再生する。センターキャップ２Ａは、スピーカ装置３１内部に対する防塵、およびメインコーン１Ａ中心部の剛性の向上にも寄与している。
【００３５】
さらに、円筒形のボイスコイルボビン１７が、メインコーン１Ａやセンターキャップ２Ａと中心軸を一致させて配置されている。このボイスコイルボビン１７は、弾性を有するスパイダ１８によってフレーム１６から支持されて、中心軸に沿って進退動可能とされている。サブコーン３Ｂと一体に成型されたセンターキャップ２Ａが、円周縁部をボイスコイルボビン１７に接続されて支持されている。メインコーン１Ａは円錐形の大径部の円周縁部をフレーム１６の外周縁部に固定されて、円錐形の小径部をサブコーン３Ｂに接続されて支持されている。
【００３６】
ボイスコイルボビン１７の外周面にはボイスコイル１５が巻装されている。そして、このボイスコイルボビン１７は、ボイスコイル１５がギャップｇ内の所定位置に位置するように配設されている。
【００３７】
このような構成のスピーカ装置３１においては、サブコーン３Ｂが、磁気回路２０およびボイスコイル１５の中心軸Ｏから、距離Ｆだけ偏心しているので、メインコーン１Ａとサブコーン３Ｂとの共振周波数を相互にずらすことができ、分割共振による特性の劣化を改善することができる。また、サブコーン３Ｂとセンターキャップ２Ａとが一体に成形されているので、再生される音響の音色が統一され、分割共振による特性の劣化の改善とあいまって臨場感を向上させることができる。
【００３８】
（実施例２）
図４は実施例２の偏心センターキャップを有するコーン型のスピーカ装置およびこのスピーカ装置に装備される一体成形されたサブコーンと偏心センターキャップの横断面図である。図４において、本実施例のコーン型スピーカ装置３２においては、サブコーン３Ａの中心軸は、磁気回路２０およびボイスコイル１５の中心軸Ｏに一致している。センターキャップ２Ｂの中心軸は、中心軸Ｏに対して距離Ｄだけ偏心している。両者は同一の材料にて一体的に成型されて作製されている。
【００３９】
本実施例においては、センターキャップ２Ｂが、磁気回路２０およびボイスコイル１５の中心軸Ｏから、距離Ｄだけ偏心しているので、メインコーン１Ａとセンターキャップ２Ｂとの共振周波数を相互にずらすことができ、分割共振による特性の劣化を改善することができる。また、サブコーン３Ａとセンターキャップ２Ｂとが一体に成形されているので、再生される音響の音色が統一され、分割共振による特性の劣化の改善とあいまって臨場感を向上させることができる。
【００４０】
なお、本実施例のセンターキャップ２Ｂの形状は、音響の放射方向に対して凸形状のものであるが、音響の放射方向に対して凹形状のものであっても概略同様の効果を得ることができる。
【００４１】
（実施例３）
図５は実施例３の偏心サブコーンと偏心センターキャップとを有するコーン型のスピーカ装置とこのスピーカ装置に装備される一体成形された偏心サブコーンと偏心センターキャップの横断面図である。図５において、本実施例のコーン型スピーカ装置３３においては、サブコーン３Ｂの中心軸は、中心軸Ｏに対して距離Ｆだけ偏心している。センターキャップ２Ｂの中心軸は、中心軸Ｏに対して距離Ｄだけ偏心している。サブコーン３Ｂとセンターキャップ２Ｂとが同一の材料により一体的に成型されて作製されている。本実施例のスピーカ装置３３は、サブコーン３Ｂとセンターキャップ２Ｂとが偏心しているので、分割共振による特性の劣化をさらに改善することができる。
【００４２】
（実施例４）
図６は実施例４の偏心サブコーンを有するコーン型のスピーカ装置の横断面図である。図６において、本実施例のコーン型スピーカ装置３４においては、メインコーン１Ａの中心軸は、磁気回路２０およびボイスコイル１５の中心軸Ｏと一致している。サブコーン３Ｂの中心軸は、中心軸Ｏに対して距離Ｆだけ偏心している。センターキャップは設けられていない。
【００４３】
本実施例においては、サブコーン３Ｂが、磁気回路２０およびボイスコイル１５の中心軸Ｏから、距離Ｆだけ偏心しているので、メインコーン１Ａとサブコーン３Ｂとの共振周波数を相互にずらすことができ、分割共振による特性の劣化を改善することができる。
【００４４】
（実施例５）
図７は実施例５の偏心メインコーンを有するスピーカ装置とこのスピーカ装置に装備される一体成形された偏心サブコーンとセンターキャップの横断面図である。図７において、本実施例のコーン型スピーカ装置３５においては、メインコーン１Ｂの中心軸は、磁気回路２０およびボイスコイル１５の中心軸Ｏに対して距離Ｅだけ偏心している。サブコーン３Ｂの中心軸は、中心軸Ｏに対して距離Ｆだけ偏心している。センターキャップ２Ａの中心軸は、中心軸Ｏに一致している。サブコーン３Ｂとセンターキャップ２Ａとが同一の材料により一体的に成型されて作製されている。本実施例のスピーカ装置３５においては、メインコーン１Ｂおよびサブコーン３Ｂが偏心しているので、分割共振による特性の劣化を改善することができる。
【００４５】
（実施例６）
図８は実施例６の偏心メインコーンを有するスピーカ装置とこのスピーカ装置に装備される一体成形された偏心サブコーンと偏心センターキャップの横断面図である。
【００４６】
（実施例７）
図９は実施例７の屈曲コーン型のスピーカ装置とこのスピーカ装置に装備される一体成形された偏心サブコーンとセンターキャップの横断面図である。上述の実施例１から６のメインコーンは、いずれも概略ラッパ状の振動板であったが、本実施例のようにメインコーンの形状がラッパ状のコーンを半径方向の途中で折り曲げた形状のものであっても同様の効果を得ることができる。
【００４７】
図９において、本実施例の屈曲コーン型スピーカ装置３７においては、メインコーン４Ｂの中心軸は、磁気回路２０およびボイスコイル１５の中心軸Ｏに対して距離Ｅだけ偏心している。サブコーン３Ｂの中心軸は、中心軸Ｏに対して距離Ｆだけ偏心している。サブコーン３Ｂとセンターキャップ２Ａは一体的に成型されて作製されている。
【００４８】
本実施例においては、メインコーン４Ｂとサブコーン３Ｂとが同じ方向に指向性が傾くように偏心している。この構成により、実施例５と概略同様の効果を得ることができる。
【００４９】
（実施例８）
図１０は実施例８の屈曲コーン型のスピーカ装置とこのスピーカ装置に装備される一体成形された偏心サブコーンと偏心センターキャップの横断面図である。図１０において、本実施例の屈曲コーン型スピーカ装置３８においては、メインコーン４Ｂの中心軸は、磁気回路２０およびボイスコイル１５の中心軸Ｏに対して距離Ｅだけ偏心している。サブコーン３Ｂの中心軸は、中心軸Ｏに対して距離Ｆだけ偏心している。センターキャップ２Ｂの中心軸は、中心軸Ｏに対して距離Ｄだけ偏心している。サブコーン３Ｂとセンターキャップ２Ｂは一体的に成型されて作製されている。
【００５０】
さらに、本実施例のスピーカ装置３８においては、メインコーン４Ｂ、サブコーン３Ｂおよびセンターキャップ２Ｂがともに同じ方向に指向性が傾くように偏心しているので、スピーカ装置３８の指向方向を大きく傾かせることができる。なお、本実施例のものとは逆に、メインコーン４Ｂ、サブコーン３Ｂおよびセンターキャップ２Ｂの偏心の方向を互いに異なる方向にすることにより、指向性の傾きを小さくすることができる。また、相互の偏心を調整することにより傾きを無くすこともできる。さらに、メインコーン４Ｂ、サブコーン３Ｂおよびセンターキャップ２Ｂの相互の偏心のベクトルを調整することにより、指向方向を任意の方向に向かせることができる。すなわち、指向方向を自在に制御することができる。
【００５１】
（実施例９）
図１１は実施例９のコーン型のスピーカ装置とこのスピーカ装置に装備される一体成形されたメインコーンと偏心センターキャップの横断面図である。図１１において、本実施例のコーン型スピーカ装置３９においては、メインコーン１Ａの中心軸は、磁気回路２０およびボイスコイル１５の中心軸Ｏに対して一致している。センターキャップ２Ｂの中心軸は、中心軸Ｏに対して距離Ｄだけ偏心している。両者は同一の材料にて一体的に成型されて作製されている。
【００５２】
このような構成のスピーカ装置３９においては、センターキャップ２Ｂが、磁気回路２０およびボイスコイル１５の中心軸Ｏから、距離Ｄだけ偏心しているので、メインコーン１Ａとセンターキャップ２Ｂとの共振周波数を相互にずらすことができ、分割共振による特性の劣化を改善することができる。また、メインコーン１Ａとセンターキャップ２Ｂとが一体に成形されているので、再生される音響の音色が統一され、分割共振による特性の劣化の改善とあいまって臨場感を向上させることができる。
【００５３】
なお、本実施例のセンターキャップ２Ｂの形状は、音響の放射方向に対して凸形状のものであるが、音響の放射方向に対して凹形状のものであっても概略同様の効果を得ることができる。
【００５４】
（実施例１０）
図１２は実施例１０の偏心メインコーンを有するスピーカ装置とこのスピーカ装置に装備される一体成形された偏心メインコーンと偏心センターキャップの横断面図である。図１２において、本実施例のコーン型スピーカ装置４０においては、メインコーン１Ｂの中心軸は、磁気回路２０およびボイスコイル１５の中心軸Ｏに対して距離Ｅだけ偏心している。センターキャップ２Ｂの中心軸は、中心軸Ｏに対して距離Ｄだけ偏心している。両者は同一の材料にて一体的に成型されて作製されている。
【００５５】
本実施例においては、メインコーン１Ｂとセンターキャップ２Ｂとが同じ方向に指向性が傾くように偏心している。この構成により、スピーカ装置４０の指向方向を大きく傾かせることができる。なお、本実施例のものとは逆に、メインコーン１Ｂとセンターキャップ２Ｂとの偏心の方向を互いに指向性が逆方向に傾くようにすることにより、指向性の傾きを小さくすることができる。また、相互に調整することにより傾きを無くすこともできる。さらに、メインコーン１Ｂとセンターキャップ２Ｂの相互の偏心のベクトルを調整することにより、指向方向を任意の方向に向かせることができる。すなわち、指向方向を自在に制御することができる。
【００５６】
（実施例１１）
図１３は実施例１１の屈曲コーン型のスピーカ装置とこのスピーカ装置に装備される一体成形された偏心メインコーンとセンターキャップの横断面図である。図１３において、本実施例の屈曲コーン型スピーカ装置４１においては、屈曲型のメインコーン４Ｂの中心軸は、磁気回路２０およびボイスコイル１５の中心軸Ｏに対して距離Ｅだけ偏心している。センターキャップ２Ａの中心軸は、中心軸Ｏと一致している。両者は一体的に成型されて作製されている。
【００５７】
本実施例においては、メインコーン４Ｂとこれに一体的に成型されたセンターキャップ２Ａとを有しているので、メインコーン４Ｂとセンターキャップ２Ａとの共振周波数を相互にずらすことができ、分割共振による特性の劣化を改善することができる。また、メインコーン４Ｂとセンターキャップ２Ａとが一体に成形されているので、再生される音響の音色が統一され、分割共振による特性の劣化の改善とあいまって臨場感を向上させることができる。
【００５８】
（実施例１２）
図１４は実施例１２の屈曲コーン型のスピーカ装置とこのスピーカ装置に装備される一体成形された偏心メインコーンと偏心センターキャップの横断面図である。図１４において、本実施例の屈曲コーン型スピーカ装置４２においては、屈曲型のメインコーン４Ｂの中心軸は、磁気回路２０およびボイスコイル１５の中心軸Ｏに対して距離Ｅだけ偏心している。センターキャップ２Ｂの中心軸は、中心軸Ｏに対して距離Ｄだけ偏心している。両者は一体的に成型されて作製されている。
【００５９】
本実施例においては、メインコーン４Ｂとセンターキャップ２Ｂとが同じ方向に指向性が傾くように偏心している。この構成により、実施例１０と概略同様の効果を得ることができる。すなわち、スピーカ装置４２の指向方向を大きく傾かせることができる。なお、実施例１０と同様に、本実施例のものとは逆に、メインコーン４Ｂとセンターキャップ２Ｂとの偏心の方向を互いに指向性が逆方向に傾くようにすることにより、指向性の傾きを小さくすることができる。また、調整により傾きを無くすこともできる。さらに、メインコーン４Ｂとセンターキャップ２Ｂの相互の偏心のベクトルを調整することにより、指向方向を任意の方向に向かせることができる。すなわち、指向方向を自在に制御することができる。
【００６０】
（実施例１３）
図１５は実施例１３のセミドーム型のスピーカ装置とこのスピーカ装置に装備される一体成形された振動板の横断面図である。図１５において、セミドーム型のスピーカ装置４３は、ドーム型の主振動板であるドーム型主振動板７Ｂ、コーン型の副振動板である外周部副振動板８Ａ、ボイスコイルボビン１７およびボイスコイル１５からなる振動構造と、ツボヨーク１３、マグネット１１、トッププレート１２からなる磁気回路２０とを有している。
【００６１】
ドーム型主振動板７Ｂは、スピーカ装置側（音響の放射方向と反対側）に開口を有する略半円球状（いわゆる、セミドーム形状）を成している。ドーム型主振動板７Ｂは、磁気回路２０およびボイスコイル１５の中心軸Ｏに対して距離Ｇだけ偏心している。外周部副振動板８Ａは、扁平リング円錐台形状を成しドーム型主振動板７Ｂの外周縁部から半径方向外方に延びるように設けられている。ドーム型主振動板７Ｂと外周部副振動板８Ａとは同一の材料にて一体に成形されている。外周部副振動板８Ａの外周縁部は、筐体を構成する概略ハット状をなす樹脂プレート１９の外周縁部に、全周にわたって固着されている。そして、ドーム型主振動板７Ｂは、ボイスコイルボビン１７の側面外壁の上方近傍を挟持するようにして固定されている。
【００６２】
ボイスコイルボビン１７は、下面に開口を有する略円筒状の形状を成し、その外壁にボイスコイル１５が巻装されている。ボイスコイルボビン１７の外壁は、上面に開口を有する略円筒形状をなすツボヨーク１３の側面内壁と一定の間隔を介して対向している。一方、ボイスコイルボビン１７の側面内壁は、円板状のマグネット１１の側面外壁、及びマグネット１１より若干大なる直径の円板状のトッププレート１２の側面外壁と夫々一定の間隔を介して対向している。そして、トッププレート１２の側面外壁と、ツボヨーク１３の側面内壁との間に磁気ギャップｇが形成されている。
【００６３】
このように構成されたセミドーム型のスピーカ装置４３では、一様な磁界中にあるボイスコイル１５に音声電流が流れると電磁作用の原理により、ボイスコイルボビン１７がそのスピーカの軸方向に上下するように振動する。そして、かかる振動がドーム型主振動板７Ｂおよび外周部副振動板８Ａへと伝達され、ドーム型主振動板７Ｂおよび外周部副振動板８Ａから音響が放射される。
【００６４】
そして、ボイスコイル１５の中心に対して、同一材料にて一体的に成型されたドーム型主振動板７Ｂおよび外周部副振動板８Ａが設けられており、さらにドーム型主振動板７Ｂが距離Ｇだけ偏心しているので、広帯域化を図ることができるとともに周波数特性の改善をすることができ、さらに再生される音響の音色を統一することができるので、臨場感をより向上させることができる。
【００６５】
（実施例１４）
図１６は実施例１４のセミドーム型のスピーカ装置とこのスピーカ装置に装備される一体成形された振動板の横断面図である。図１６において、本実施例のセミドーム型スピーカ装置４４においては、ドーム型主振動板であるドーム型主振動板７Ａの中心軸が、磁気回路２０およびボイスコイル１５の中心軸Ｏと一致している。一方、副振動板である外周部副振動板８Ａの中心軸は、中心軸Ｏに対して距離Ｈだけ偏心している。その他の構成は、実施例１１と同様である。
【００６６】
このような構成のセミドーム型スピーカ装置４４においても、外周部副振動板８Ａが偏心しているので、周波数特性の改善をすることができるとともに、再生される音響の音色を統一することができる。
【００６７】
（実施例１５）
図１７は実施例１５のセミドーム型のスピーカ装置とこのスピーカ装置に装備される一体成形された振動板の横断面図である。図１７において、本実施例のセミドーム型スピーカ装置４５においては、ドーム型主振動板７Ｂの中心軸は、磁気回路２０およびボイスコイル１５の中心軸Ｏに対して距離Ｇだけ偏心している。外周部副振動板８Ｂの中心軸は、中心軸Ｏに対して距離Ｈだけ偏心している。
【００６８】
本実施例においては、ドーム型主振動板７Ｂと外周部副振動板８Ｂとが互いに逆の方向に指向性を傾かせるように偏心している。この構成により、スピーカ装置４５の指向性の傾きを小さなものとすることができる。さらに調整することにより傾きを完全に無くすこともできる。なお、本実施例のものとは逆に、ドーム型主振動板７Ｂと外周部副振動板８Ｂとの偏心の方向を互いに同じ方向に傾くようにすることにより、指向性の傾きを大きくすることもできる。また、このようなことから、ドーム型主振動板７Ｂと外周部副振動板８Ｂの相互の偏心のベクトルを調整することにより、指向方向を任意の方向に向かせることができる。すなわち、指向方向を自在に制御することができる。
【産業上の利用可能性】
【００６９】
センターキャップやサブコーンを設けることにより広帯域化を図ったスピーカ装置に適用されて好適なものであり、特に車輌の客室内に設置される車載用スピーカ装置に適用されて好適なものである。
【図面の簡単な説明】
【００７０】
【図１】従来のスピーカ装置の内部構造を示す横断面図である。
【図２】従来のセミドーム型のスピーカ装置の横断面図である。
【図３】実施例１の偏心サブコーンを有するコーン型のスピーカ装置およびこのスピーカ装置に装備される一体成形された偏心サブコーンとセンターキャップの横断面図である。
【図４】実施例２の偏心センターキャップを有するコーン型のスピーカ装置およびこのスピーカ装置に装備される一体成形されたサブコーンと偏心センターキャップの横断面図である。
【図５】実施例３の偏心サブコーンと偏心センターキャップとを有するコーン型のスピーカ装置とこのスピーカ装置に装備される一体成形された偏心サブコーンと偏心センターキャップの横断面図である。
【図６】実施例４の偏心サブコーンを有するコーン型のスピーカ装置の横断面図である。
【図７】実施例５の偏心メインコーンを有するスピーカ装置とこのスピーカ装置に装備される一体成形された偏心サブコーンとセンターキャップの横断面図である。
【図８】実施例６の偏心メインコーンを有するスピーカ装置とこのスピーカ装置に装備される一体成形された偏心サブコーンと偏心センターキャップの横断面図である。
【図９】実施例７の屈曲コーン型のスピーカ装置とこのスピーカ装置に装備される一体成形された偏心サブコーンとセンターキャップの横断面図である。
【図１０】実施例８の屈曲コーン型のスピーカ装置とこのスピーカ装置に装備される一体成形された偏心サブコーンと偏心センターキャップの横断面図である。
【図１１】実施例９のコーン型のスピーカ装置とこのスピーカ装置に装備される一体成形されたメインコーンと偏心センターキャップの横断面図である。
【図１２】実施例１０の偏心メインコーンを有するスピーカ装置とこのスピーカ装置に装備される一体成形された偏心メインコーンと偏心センターキャップの横断面図である。
【図１３】実施例１１の屈曲コーン型のスピーカ装置とこのスピーカ装置に装備される一体成形された偏心メインコーンとセンターキャップの横断面図である。
【図１４】実施例１２の屈曲コーン型のスピーカ装置とこのスピーカ装置に装備される一体成形された偏心メインコーンと偏心センターキャップの横断面図である。
【図１５】実施例１３のセミドーム型のスピーカ装置とこのスピーカ装置に装備される一体成形された振動板の横断面図である。
【図１６】実施例１４のセミドーム型のスピーカ装置とこのスピーカ装置に装備される一体成形された振動板の横断面図である。
【図１７】実施例１５のセミドーム型のスピーカ装置とこのスピーカ装置に装備される一体成形された振動板の横断面図である。
【符号の説明】
【００７１】
１Ａ  偏心してないメインコーン（主振動板）
１Ｂ  偏心したメインコーン（主振動板）
２Ａ  偏心してないセンターキャップ
２Ｂ  偏心したセンターキャップ
３Ａ  偏心してないサブコーン（副振動板）
３Ｂ  偏心したサブコーン（副振動板）
４Ｂ  偏心した屈曲型のメインコーン（主振動板）
７Ａ  偏心してないドーム型主振動板
７Ｂ  偏心したドーム型主振動板
８Ａ  偏心してない外周部副振動板
８Ｂ  偏心した外周部副振動板
１１  マグネット
１２  トップトッププレート
１３  ヨーク
１４  センターポール
１５  ボイスコイル
１６  フレーム
１７  ボイスコイルボビン
１８  スパイダ
Ｏ  磁気回路およびボイスコイルの中心軸
ｇ  磁気ギャップ
【図１】
2006303777.tif 000003
【図２】
2006303777.tif 000004
【図３】
2006303777.tif 000005
【図４】
2006303777.tif 000006
【図５】
2006303777.tif 000007
【図６】
2006303777.tif 000008
【図７】
2006303777.tif 000009
【図８】
2006303777.tif 000010
【図９】
2006303777.tif 000011
【図１０】
2006303777.tif 000012
【図１１】
2006303777.tif 000013
【図１２】
2006303777.tif 000014
【図１３】
2006303777.tif 000015
【図１４】
2006303777.tif 000016
【図１５】
2006303777.tif 000017
【図１６】
2006303777.tif 000018
【図１７】
2006303777.tif 000019